(57)【特許請求の範囲】
【請求項１】
第１移動体（２ａ）で用いられ、前記第１移動体に関連する情報である第１移動体情報を逐次送信する移動体用送信装置（１ａ）と、第２移動体（２ｂ）で用いられ、前記第１移動体情報を受信する移動体用受信装置（１ｂ）とを備える移動体間通信システムであって、
前記移動体用送信装置は、
基地局を介して情報を送信する間接送信部（４１）と、
直接送信により情報を送信する直接送信部（３１）と、
同一の前記第１移動体情報を、前記間接送信部と前記直接送信部から送信させる制御を行う送信制御部（５３、５３ａ）とを備え、
前記移動体用受信装置は、
前記間接送信部が送信した前記第１移動体情報を、基地局を介して受信する間接受信部（４２）と、
前記直接送信部が送信した前記第１移動体情報を直接受信する直接受信部（３２）とを備え、
前記送信制御部は、前記間接送信部および前記直接送信部から送信する同一の前記第１移動体情報に同一の識別符号を付与して送信し、
前記移動体用受信装置は、
前記間接受信部が前記第１移動体情報を受信した場合に、前記間接受信部から前記第１移動体情報を取得するとともに、前記直接受信部が前記第１移動体情報を受信した場合に、前記直接受信部から前記第１移動体情報を取得する受信情報取得部（５４）と、
前記受信情報取得部が、前記間接受信部から取得した前記第１移動体情報と、前記直接受信部から取得した前記第１移動体情報とが同一であるか否かをそれら２つの前記第１移動体情報を比較して判断するとともに、２つの前記第１移動体情報に付与されている前記識別符号が同一であるか否かも判断する同一判断部（５５ａ）と、
前記同一判断部が、２つの前記第１移動体情報が同一であると判断し、且つ、２つの前記識別符号が同一であると判断した場合に、前記第１移動体情報を前記第２移動体で用いられる移動体制御部へ送信し、前記同一判断部が、２つの前記識別符号が同一であると判断したが、２つの前記第１移動体情報が同一でないと判断した場合には、同一でないと判断した前記第１移動体情報を前記移動体制御部へ送信しない移動体送信部（５６ａ）とを備え、
前記移動体送信部は、前記受信情報取得部が、前記間接受信部および前記直接受信部のいずれか一方から前記第１移動体情報を取得した後、予め設定された待機時間内に、前記間接受信部および前記直接受信部のうちの前記第１移動体情報を取得していない側から、前記第１移動体情報を取得しない場合には、前記同一判断部の判断結果なしで、取得済みの前記第１移動体情報を前記移動体制御部へ送信する移動体間通信システム。
【請求項２】
請求項１において、
前記送信制御部は、同一の前記第１移動体情報を、前記間接送信部と前記直接送信部に同時に出力する移動体間通信システム。
【請求項３】
請求項１または２において、
前記移動体送信部は、前記同一判断部の判断結果なしで、前記第１移動体情報を前記移動体制御部へ送信する場合には、前記同一判断部が判断を行っていないことを意味するフラグを付与して、前記第１移動体情報を前記移動体制御部へ送信する移動体間通信システム。
【請求項４】
請求項１〜３のいずれか１項において、
前記識別符号が、送信する情報の生成時の時刻情報である移動体間通信システム。
【請求項５】
請求項４において、
前記時刻情報は、協定世界時で現在時刻を表す情報である移動体間通信システム。
【請求項６】
請求項１〜５のいずれか１項において、
前記移動体用送信装置の前記間接送信部が送信した前記第１移動体情報を前記基地局を介して受信し、受信した前記第１移動体情報を、前記移動体用送信装置が用いられている前記第１移動体との間の距離が予め設定された移動体間距離内である前記第２移動体で用いられている前記移動体用受信装置へ転送するセンタを備えている移動体間通信システム。
【請求項７】
他移動体から送信され、前記他移動体に関連する情報である他移動体情報を基地局を介して受信する間接受信部と、前記他移動体情報を直接受信する直接受信部とを備えた移動体で用いられる移動体用受信制御装置であって、
前記間接受信部が前記他移動体情報を受信した場合に、前記間接受信部から前記他移動体情報を取得するとともに、前記直接受信部が前記他移動体情報を受信した場合に、前記直接受信部から前記他移動体情報を取得する受信情報取得部（５４）と、
前記受信情報取得部が、前記間接受信部から取得した前記他移動体情報と、前記直接受信部から取得した前記他移動体情報とが同一であるか否かをそれら２つの前記他移動体情報を比較して判断するとともに、２つの前記他移動体情報に付与されている識別符号が同一であるか否かも判断する同一判断部（５５ａ）と、
前記同一判断部が、２つの前記他移動体情報が同一であると判断し、且つ、２つの前記識別符号が同一であると判断した場合に、前記他移動体情報を前記移動体で用いられる移動体制御部へ送信し、前記同一判断部が、２つの前記識別符号が同一であると判断したが、２つの前記他移動体情報が同一でないと判断した場合には、同一でないと判断した前記他移動体情報を前記移動体制御部へ送信しない移動体送信部（５６ａ）とを備え、
前記移動体送信部は、前記受信情報取得部が、前記間接受信部および前記直接受信部のいずれか一方から前記他移動体情報を取得した後、予め設定された待機時間内に、前記間接受信部および前記直接受信部のうちの前記他移動体情報を取得していない側から、前記他移動体情報を取得しない場合には、前記同一判断部の判断結果なしで、取得済みの前記他移動体情報を前記移動体制御部へ送信する移動体用受信制御装置。
【発明の詳細な説明】
【技術分野】
【０００１】
本発明は、移動体間で通信を行う移動体間通信システム、および、その移動体間通信システムが備える移動体用受信制御装置に関する。
【背景技術】
【０００２】
他車両で用いられている通信装置との間で無線通信を行う車両用通信装置が種々知られている。特許文献１には、１つの車両に、他車両との間で無線通信を行う車車間通信装置に加えて、電話回線網を介してセンタと通信を行う電話装置が搭載された構成が開示されている。
【０００３】
この特許文献１に開示されている車両は、電話装置によってセンタと通信が可能か否かを判断する。そして、電話装置による通信が可能であれば、電話装置でセンタへ車両情報を送信する。電話装置の故障により、電話装置による通信が可能でない場合には、車車間通信装置で、他車両へ車両情報を送信する。その車両情報を受信した他車両は、電話装置を用いて、車車間通信で受信した車両情報をセンタへ送信する。
【先行技術文献】
【特許文献】
【０００４】
【特許文献１】特開２００８−３７４１４号公報
【発明の概要】
【発明が解決しようとする課題】
【０００５】
車車間通信では、車両制御に用いるための他車の位置情報等を送受信する場合も多い。そのため、車車間通信には高いロバスト性が要求される場合が多い。なお、本明細書における車車間通信は、車両間での直接通信に限られず、間接的に車両間で通信するものも含む。
【０００６】
特許文献１の構成は、車車間通信装置と電話装置それぞれで、車両とセンタとの間の通信を可能にする。よって、車両とセンタとが通信できる可能性は向上する。しかし、特許文献１の構成は車車間通信のロバスト性を高めるための構成は備えていない。よって、車車間通信のロバスト性を高める技術が望まれる。
【０００７】
また、通信のロバスト性を高める技術が望まれるのは、車両以外の移動体と移動体の間の通信でも同じである。つまり、移動体が車両であるか車両以外であるかに関わらず、移動体間通信のロバスト性を高める技術が望まれる。
【０００８】
本発明は、この事情に基づいて成されたものであり、その目的とするところは、ロバスト性が高い移動体間通信が可能な移動体間通信システムおよび移動体用受信制御装置を提供することにある。
【課題を解決するための手段】
【０００９】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【００１０】
上記目的を達成するための移動体間通信システムに係る発明は、第１移動体（２ａ）で用いられ、第１移動体に関連する情報である第１移動体情報を逐次送信する移動体用送信装置（１ａ）と、第２移動体（２ｂ）で用いられ、第１移動体情報を受信する移動体用受信装置（１ｂ）とを備える移動体間通信システムであって、移動体用送信装置は、基地局を介して情報を送信する広域送信部（４１）と、直接送信により情報を送信する直接送信部（３１）と、同一の第１移動体情報を、広域送信部と直接送信部から送信させる制御を行う送信制御部（５３、５３ａ）とを備え、移動体用受信装置は、広域送信部が送信した第１移動体情報を、基地局を介して受信する広域受信部（４２）と、直接送信部が送信した第１移動体情報を直接受信する直接受信部（３２）とを備え、送信制御部は、間接送信部および直接送信部から送信する同一の第１移動体情報に同一の識別符号を付与して送信し、
移動体用受信装置は、間接受信部が第１移動体情報を受信した場合に、間接受信部から第１移動体情報を取得するとともに、直接受信部が第１移動体情報を受信した場合に、直接受信部から第１移動体情報を取得する受信情報取得部（５４）と、受信情報取得部が、間接受信部から取得した第１移動体情報と、直接受信部から取得した第１移動体情報とが同一であるか否かをそれら２つの第１移動体情報を比較して判断するとともに、２つの第１移動体情報に付与されている識別符号が同一であるか否かも判断する同一判断部（５５ａ）と、同一判断部が、２つの第１移動体情報が同一であると判断し、且つ、２つの識別符号が同一であると判断した場合に、第１移動体情報を第２移動体で用いられる移動体制御部へ送信し、同一判断部が、２つの識別符号が同一であると判断したが、２つの第１移動体情報が同一でないと判断した場合には、同一でないと判断した第１移動体情報を移動体制御部へ送信しない移動体送信部（５６ａ）とを備え、
移動体送信部は、受信情報取得部が、間接受信部および直接受信部のいずれか一方から第１移動体情報を取得した後、予め設定された待機時間内に、間接受信部および直接受信部のうちの第１移動体情報を取得していない側から、第１移動体情報を取得しない場合には、同一判断部の判断結果なしで、取得済みの第１移動体情報を移動体制御部へ送信する。
【００１１】
本発明によれば、第１移動体で用いられる移動体用送信装置が備える送信制御部は、同一の第１移動体情報を、広域送信部と直接送信部とから送信させる。第２移動体で用いられる移動体用受信装置は広域受信部と直接受信部を備えるので、広域送信部が第１移動体情報を送信した場合も、直接送信部が第１移動体情報を送信した場合も、第１移動体情報を受信できる。したがって、ロバスト性が高い移動体間通信が実現できる。
【００１３】
また、上記目的を達成するための移動体用受信制御装置に係る発明は、他移動体から送信され、他移動体に関連する情報である他移動体情報を基地局を介して受信する広域受信部と、他移動体情報を直接受信する直接受信部とを備えた移動体で用いられる移動体用受信制御装置であって、広域受信部が他移動体情報を受信した場合に、広域受信部から他移動体情報を取得するとともに、直接受信部が他移動体情報を受信した場合に、直接受信部から他移動体情報を取得する受信情報取得部（５４）と、受信情報取得部が、間接受信部から取得した他移動体情報と、直接受信部から取得した他移動体情報とが同一であるか否かをそれら２つの他移動体情報を比較して判断するとともに、２つの他移動体情報に付与されている識別符号が同一であるか否かも判断する同一判断部（５５ａ）と、同一判断部が、２つの他移動体情報が同一であると判断し、且つ、２つの識別符号が同一であると判断した場合に、他移動体情報を移動体で用いられる移動体制御部へ送信し、同一判断部が、２つの識別符号が同一であると判断したが、２つの他移動体情報が同一でないと判断した場合には、同一でないと判断した他移動体情報を移動体制御部へ送信しない移動体送信部（５６ａ）とを備え、
移動体送信部は、受信情報取得部が、間接受信部および直接受信部のいずれか一方から他移動体情報を取得した後、予め設定された待機時間内に、間接受信部および直接受信部のうちの他移動体情報を取得していない側から、他移動体情報を取得しない場合には、同一判断部の判断結果なしで、取得済みの他移動体情報を移動体制御部へ送信する。
【図面の簡単な説明】
【００１４】
【図１】第１実施形態の車車間通信システムの全体構成を示す図である。
【図２】図１の車載システム１の構成を示すブロック図である。
【図３】図２の通信制御部５０が実行する車両データパケット送信処理を示すフローチャートである。
【図４】図２の通信制御部５０が実行する車両データパケット受信処理を示すフローチャートである。
【図５】第２実施形態の車載システム２０１の構成を示すブロック図である。
【図６】図５の通信制御部５０ａが実行する車両データパケット受信処理を示すフローチャートである。
【発明を実施するための形態】
【００１５】
＜第１実施形態＞
以下、本発明の実施形態について図を用いて説明する。図１は、車車間通信システム１００の概略的な構成の一例を示す図である。車車間通信システム１００は請求項の移動体間通信システムに相当する。第１実施形態の車車間通信システム１００は、図１に示す車載システム１を複数備えるとともにセンタ５を備える。
【００１６】
複数の車載システム１は、複数の車両２にそれぞれ搭載される。図１の例では、車載システム１ａは車両２ａに搭載され、車載システム１ｂは車両２ｂに搭載されている。これら車載システム１ａ、１ｂは、搭載されている車両２ａ、２ｂが異なる以外は同じ構成である。車両２ａ、２ｂに搭載されている各車載システム１ａ、１ｂを区別しないときは、単に車載システム１と記載し、また、車両２ａ、２ｂを区別しないときは、単に車両２と記載する。なお、図１には、車載システム１が搭載されている車両２を２台しか示していないが、３台以上の車両２にそれぞれ車載システム１が搭載されてもよい。
【００１７】
［全体の概要］
車車間通信システム１００は、異なる車両２にそれぞれ搭載された車載システム１が互いに無線通信するシステムである。車両２は、道路上を走行する車両であれば特に限定はない。４輪車、オートバイ、自転車などが車両に含まれる。
【００１８】
車載システム１は、予め割り当てられた周波数帯の電波を用いて、広域通信網３を介さないで、他の車載システム１と無線通信を実施する。また、車載システム１は、広域通信網３を介して、他の車載システム１と無線通信を実施することもできる。つまり、車載システム１は、広域通信網３を介した車車間通信と、広域通信網３を介さない車車間通信とが可能である。
【００１９】
以下では、広域通信網３を介さない車車間通信を直接型車車間通信し、広域通信網３を介した車車間通信を間接型車車間通信と記載する。直接型車車間通信は間接型車車間通信に比較して通信範囲が狭い。そのため、直接型車車間通信は狭域車車間通信と呼ぶこともでき、間接型車車間通信は広域車車間通信と呼ぶこともできる。
【００２０】
直接型車車間通信に用いられる周波数帯は、たとえば、７６０ＭＨｚ帯である。その他、２．４ＧＨｚ、５．９ＧＨｚ帯などを用いることもできる。直接型車車間通信を実現するための通信規格は任意のものを採用することができる。たとえば、ＩＥＥＥ１６０９等にて開示されているＷＡＶＥ（Wireless Access in Vehicular Environment）の規格を採用することができる。
【００２１】
車載システム１が間接型車車間通信を行う場合、広域通信網３に接続されている基地局４との間で、直接的には、通信を行う。広域通信網３は、携帯電話網やインターネット等の、電気通信事業者によって提供される公衆通信ネットワークを指す。
【００２２】
車載システム１は、車両データパケットを、直接型車車間通信および間接型車車間通信でそれぞれ送信する。間接型車車間通信で車両データパケットが送信された場合に、センタ５は、基地局４および広域通信網３を介して、車両データパケットを受信する。
【００２３】
センタ５は、車両データパケットを受信した場合、その車両データパケットを、車両データパケットを送信した車載システム１の周辺領域に存在する他車両（つまり周辺車両）に搭載された車載システム１に転送する。周辺領域は、車両データパケットを送信した車載システム１から所定の車両間距離以内となる範囲とする。この車両間距離は、車両間の直線距離である。なお、車両間距離は請求項の移動体間距離に相当する。
【００２４】
周辺領域を決定するために、車両データパケットを送信した車両２の位置が必要となる。この位置は、車両データパケットに、車両データパケットを送信した車載システム１が搭載されている車両２の位置が含まれていれば、車両データパケットに含まれている位置とする。
【００２５】
また、車両データパケットの転送相手となる車載システム１を決定するためには、各車載システム１の位置を把握する必要がある。そこで、センタ５は、車両２の現在位置を管理する。
【００２６】
車両２の現在位置の管理は、図示しないデータベースを用いて実現されればよい。当該データベースにおいて各車両２の現在位置は、車両ＩＤなどと対応付けられて保存される。以下では、車両２の現在位置を表したデータベースを位置管理データベースとする。センタ５が車両２の位置を把握するために、車載システム１は、周期的に現在位置をセンタ５に送信するようにすることができる。ただし、車載システム１は、直接型車車間通信により互いの位置情報を交換する構成とすることができる。この場合には、一部の車載システム１が、複数台の車両２の位置をセンタ５に送信すればよい。センタ５は、車両２の位置を受信する毎に、位置管理データベースを更新する。なお、周辺領域を決定するための車両２の位置も、この位置管理データベースに保存されている位置とすることもできる。
【００２７】
車両間距離は、一定値としてもよいし、送信元車両の走行速度などに応じて動的に決定されてもよい。また、車両間距離は、送信元車両が走行している道路の種別に応じた値に動的に調整されてもよい。たとえば、走行道路が高速道路である場合の車両間距離は相対的に大きい値（例えば４００ｍ）とする一方、走行道路が一般道路である場合には、走行道路が高速道路である場合よりも小さい値に設定する。
【００２８】
また、車両間距離は、直接型車車間通信により通信可能な距離よりも長い距離であって、直接型車車間通信により通信可能な距離の数倍よりは短い距離であることが好ましい。このようにすれば、間接型車車間通信により、車車間通信距離を実質的に延ばすことができ、かつ、不要な通信相手にまで車両データパケットを送信してしまうことを抑制できる。数倍は、より具体的には、たとえば２倍あるいは３倍である。
【００２９】
センタ５は、車両データパケットを受信した場合に、位置管理データベースに基づいて、送信元車両から車両間距離以内に存在する車両２を抽出し、その抽出した車両２に向けて車両データパケットを転送する。
【００３０】
［車載システム１の構成］
次に、車載システム１の構成を説明する。車載システム１は、図２に示すように、ロケータ１０と通信ユニット２０とを備える。通信ユニット２０は、狭域通信部３０、広域通信部４０、通信制御部５０を備える。ロケータ１０と通信制御部５０とは、車両内に構築された通信ネットワーク６（つまり、ＬＡＮ：Local Area Network）を介して互いに通信可能に接続される。
【００３１】
ＬＡＮ６には車両制御部７も接続されており、通信制御部５０はＬＡＮ６を介して車両制御部７とも通信可能である。車両制御部７は、この車両制御部７が搭載された車両２（以下、自車両）の挙動に関する種々の制御を行う制御部であり、１つまたは複数の制御部から構成される。車両制御部７が行う制御は、たとえば、加減速制御、操舵制御である。この車両制御部７は請求項の移動体制御部に相当する。
【００３２】
車両制御部７は、自車両の挙動に関する種々の制御を行うために、自車両に搭載された種々のセンサから、自車両の走行状態を示す状態量の検出値を取得する。自車両の走行状態を示す状態量は、たとえば、走行速度、ヨーレート、操舵角、加速度、シフト位置などである。なお、次に説明するロケータ１０が特定する位置情報も、自車両の走行に関する状態量に含まれる。
【００３３】
ロケータ１０は、道路地図上において、自車両が現在走行している地点を特定する装置である。ロケータ１０は、たとえば、ＧＮＳＳ受信機および地図データを備える。ロケータ１０は、現在位置を示す位置情報を通信ユニット２０に逐次提供する。また、ＧＮＳＳ受信機を備えているので、ロケータ１０は、周知のＧＮＳＳ受信機と同様、ＵＴＣ時刻、すなわち協定世界時で表された現在時刻を表す情報も逐次、通信ユニット２０に出力する。
【００３４】
通信ユニット２０は自車両の周辺に存在する他車両に搭載された車載システム１との間で車両データパケットの送受信を実施するためのユニットである。この通信ユニット２０において、狭域通信部３０および広域通信部４０はそれぞれ通信制御部５０と相互通信可能に接続されている。
【００３５】
狭域通信部３０は、所定の周波数帯の電波を用いて他車両と直接無線通信（つまり直接型車車間通信）を実施するための通信モジュールである。この狭域通信部３０は、狭域送信部３１、狭域受信部３２、アンテナ３３を備える。なお、狭域送信部３１は請求項の直接送信部に相当し、狭域受信部３２は請求項の直接受信部に相当する。アンテナ３３は、直接型車車間通信に用いられる周波数帯の電波を送受信するためのアンテナである。
【００３６】
狭域受信部３２は、アンテナ３３で受信した信号を復調して通信制御部５０に提供する。狭域送信部３１は、通信制御部５０から入力されたデータを変調してアンテナ３３に出力する。アンテナ３３は、そのデータを電波として放射（すなわち無線送信）する。なお、直接型車車間通信のアクセス制御は、ＣＳＭＡ／ＣＡ（Carrier Sense Multiple Access／Collision Avoidance）によって実施される。ＣＳＭＡ／ＣＡに基づいたアクセス制御処理は、狭域送信部３１が担当してもよいし、通信制御部５０が担当してもよい。また、送信方式は、本実施形態ではブロードキャストとするが、ユニキャストやマルチキャスト方式が採用されてもよい。
【００３７】
広域通信部４０は、広域通信網３に無線接続し、車載システム１が広域通信網３を介して他の通信装置と通信するための通信モジュールである。この広域通信部４０は、広域送信部４１、広域受信部４２、アンテナ４３を備える。広域送信部４１は請求項の間接送信部に相当し、広域受信部４２は請求項の間接受信部に相当する。
【００３８】
アンテナ４３は、基地局４との無線通信に用いられる所定の周波数帯の電波を送受信するためのアンテナである。広域受信部４２は、基地局４から送信されアンテナ４３で受信した信号を復調して通信制御部５０に提供する。広域送信部４１は、通信制御部５０から入力されたデータを変調してアンテナ４３に出力する。アンテナ４３は、そのデータを電波として放射（すなわち無線送信）する。
【００３９】
通信制御部５０は、狭域通信部３０および広域通信部４０の作動を制御する。この通信制御部５０の詳細については別途後述するが、概略的には次の通りである。通信制御部５０は、車両データを生成し、当該車両データを含む車両データパケットを、狭域通信部３０から送信させたり、広域通信部４０から送信させたりする。狭域通信部３０から通信パケットを送信させることが狭域送信であり、広域通信部４０から通信パケットを送信させることが広域送信である。また、通信制御部５０は、周辺車両から送信された車両データパケットを、直接型車車間通信および間接型車車間通信によって受信する。
【００４０】
［通信制御部５０の構成］
次に通信制御部５０の構成を説明する。通信制御部５０が請求項に記載の移動体用送信制御装置および移動体用受信制御装置に相当する。通信制御部５０は、ＣＰＵ、ＲＡＭ、ＲＯＭ、Ｉ／Ｏ、およびこれらの構成を接続するバスラインなどを備えたコンピュータとして構成されている。ＲＯＭには、汎用的なコンピュータを通信制御部５０として機能させるためのプログラム（以降、通信制御プログラム）や車両ＩＤ等が格納されている。
【００４１】
なお、上述の通信制御プログラムは、非遷移的実体的記録媒体（non- transitory tangible storage medium）に格納されていればよく、その具体的な記憶媒体はＲＯＭに限らない。例えば通信制御プログラムはフラッシュメモリに保存されていても良い。ＣＰＵが通信制御プログラムを実行することは、通信制御プログラムに対応する方法が実行されることに相当する。
【００４２】
この通信制御部５０は、ＣＰＵがＲＯＭに格納されている上述の通信制御プログラムを実行することによって、図２に示す種々の機能を提供する。すなわち、通信制御部５０は機能ブロックとして、送信情報取得部５１、車両データ生成部５２、送信制御部５３、受信情報取得部５４、同一判断部５５、車両内送信部５６を備える。
【００４３】
なお、通信制御部５０が備える機能ブロックの一部又は全部は、一つあるいは複数のＩＣ等を用いて（換言すればハードウェアとして）実現してもよい。また、通信制御部５０が備える機能ブロックの一部又は全部は、ＣＰＵによるソフトウェアの実行とハードウェア部材の組み合わせによって実現されてもよい。
【００４４】
送信情報取得部５１は、通信制御部５０の通電時、ＬＡＮ６を介してロケータ１０から、現在位置を示す位置情報を取得する。また、車両制御部７から、自車両の走行状態を示す種々の情報を取得する。なお、通信制御部５０への通電は、たとえばイグニッションスイッチがオンである場合に行われる。
【００４５】
送信情報取得部５１が取得したこれらの情報は、車両データとして送信するための情報であり、情報の取得周期は、車両データを生成して送信する周期と同じである。送信情報取得部５１は、取得したこれらの情報をメモリ５７の送信情報格納領域に一定時間保存する。メモリ５７は、書き換え可能な記憶媒体であり、たとえば、通信制御部５０が備えるＲＡＭである。
【００４６】
車両データ生成部５２は、メモリ５７の送信情報格納領域に保存されている種々の情報に基づき、所定の生成周期Ｔｇで、その生成時点における自車両の走行状態を示す車両データを生成する。送信情報格納領域に保存されている情報は、生成時点における自車両の走行状態を示す車両データを生成するための情報であるので、保存時から一定時間（たとえば生成周期Ｔｇ）経過した情報はメモリ５７から削除される。
【００４７】
生成周期Ｔｇは例えば１００ミリ秒である。車両データ生成部５２によって生成される車両データは、車両データパケットに収容されるデータ本体部分（いわゆるペイロード）に相当する。また、車両データは、請求項の第１移動体情報、移動体情報に相当する。車両データ生成部５２が生成した車両データはメモリ５７に保存されるとともに送信制御部５３に提供される。
【００４８】
送信制御部５３は、車両データ生成部５２から車両データが提供される度に、当該車両データを含む車両データパケットを生成する。車両データパケットは、車両データに、車両ＩＤと、車両データパケット生成時の時刻情報が付与されたパケットである。車両ＩＤと時刻情報は、車両データパケットを他の車両データパケットと区別するための識別符号としての役割を持つ。時刻情報は、通信制御部５０の内部に備えられたクロック部の時刻情報を用いる。このクロック部の時刻情報は、ロケータ１０から出力されるＵＴＣ時刻に合わせられるので、実質的にＵＴＣ時刻を意味する。
【００４９】
車両データに付与する時刻情報は、狭域通信部３０から送信する車両データパケットと、広域通信部４０が送信する車両データパケットが同じデータであることを識別するために用いる。したがって、車両データに付与する時刻情報は、厳密に車両データパケット生成時を表している必要はない。このことから、車両データとして、ロケータ１０から取得した位置情報を含ませる場合には、車両データに付与する時刻情報を、ロケータ１０から現在位置を示す位置情報を取得したときに、合わせてロケータ１０から取得できるＵＴＣ時刻としてもよい。
【００５０】
なお、本実施形態において、パケットは、送信時に一定のデータ量に分割されたデータ単位を意味するのではなく、データ全体を意味する。つまり、車両データパケットは、車両データに、車両ＩＤと、車両データパケット生成時の時刻情報が付与されたデータ全体を意味する。なお、車両データパケットをこの意味で用いることは、車両データパケットを送信時に複数のデータに分割して送信することを制限するものではない。
【００５１】
送信制御部５３は、同時送信周期であるときは、生成した車両データパケットを、狭域送信部３１と広域送信部４１へ出力する。一方、同時送信周期に該当しないときは、生成した車両データパケットを狭域送信部３１のみへ出力する。
【００５２】
同時送信周期は、車両データ生成部５２が車両データを生成する周期の整数倍の周期である。この整数は、本実施形態では１０とする。したがって、車両データ生成部５２が車両データを１０回生成する毎に、送信制御部５３は、車両データパケットを、狭域送信部３１と広域送信部４１へ出力する。なお、上記整数は、１０以外の数、たとえば、１でもよい。つまり、送信制御部５３は、生成した車両データパケットを、毎回、狭域送信部３１と広域送信部４１へ出力してもよい。
【００５３】
狭域送信部３１は、車両データパケットが供給されると、その車両データパケットを変調してアンテナ３３から同報送信する。狭域送信部３１には、車両データパケットが生成されるごとにその車両データパケットが供給されるので、アンテナ３３から車両データパケットが送信される周期は、車両データの生成周期Ｔｇと等しくなる。
【００５４】
広域送信部４１は、車両データパケットが供給されると、その車両データパケットを変調してアンテナ４３から送信する。アンテナ４３から送信された車両データパケットは基地局４に受信され、広域通信網３を介して基地局４からセンタ５に送られる。
【００５５】
他の車両２に搭載された車載システム１の狭域通信部３０から車両データパケットが送信され、自車両が、他の車両２と狭域通信可能であれば、他の車両２から送信された車両データパケットを、アンテナ３３を介して狭域受信部３２が受信する。
【００５６】
また、他の車両２の位置を基準としてセンタ５が決定する周辺領域に自車両が存在していれば、センタ５から、他の車両２が送信した車両データパケットが送信される。センタ５から送信された車両データパケットはアンテナ４３を介して広域受信部４２が受信する。
【００５７】
受信情報取得部５４は、狭域受信部３２が車両データパケットを受信した場合には狭域受信部３２から車両データパケットを取得し、広域受信部４２が車両データパケットを受信した場合には広域受信部４２から車両データパケットを取得する。
【００５８】
同一判断部５５は、受信情報取得部５４が広域受信部４２および狭域受信部３２のいずれかから車両データパケットを取得した場合に、取得した車両データパケットと、メモリ５７に記憶されている車両データパケットとが同一であるか否かを判断する。本実施形態における同一とは、車両データパケットに含まれている、つまり、車両データに付与されている車両ＩＤと時刻情報がともに一致していることを意味する。
【００５９】
車両データパケットに含まれている車両ＩＤと時刻情報がともに一致するのは、他の車両２から、同じ車両データパケットが狭域送信部３１と広域送信部４１から送信され、それらを自車両の狭域受信部３２と広域受信部４２がともに受信した場合に限られる。したがって、同一判断部５５は、受信情報取得部５４が広域受信部４２から取得した車両データパケットと、受信情報取得部５４が狭域受信部３２から取得した車両データパケットとが同一であるか否かを判断していることになる。
【００６０】
同一判断部５５は、上記判断の結果、取得した車両データパケットが、メモリ５７に記憶されている車両データパケットと同一でないと判断すると、その車両データパケットを、車両内送信部５６に送り、かつ、メモリ５７の受信情報格納領域に一定時間保存する。一方、取得した車両データパケットが、メモリ５７に記憶されている車両データパケットと同一であると判断した場合には、取得した車両データパケットを破棄する。
【００６１】
車両内送信部５６は、同一判断部５５から車両データパケットが供給された場合に、その車両データパケットに含まれている車両データを車両制御部７へ出力する。この車両内送信部５６は請求項の移動体送信部に相当する。なお、車両データに加えて、車両ＩＤおよび時刻情報のいずれか一方または両方を車両制御部７へ出力してもよい。
【００６２】
［車両データパケット送信処理］
次に、通信制御部５０が実施する車両データパケット送信処理について、図３に示すフローチャートを用いて述べる。ここでは、車両２ａに搭載されている車載システム１ａが備える通信制御部５０が図３の処理を実行しているとする。この場合、車両２ａは請求項の第１移動体に相当し、車載システム１ａは請求項の移動体用送信装置として機能することになる。
【００６３】
図３の処理は、車両データ生成部５２と送信制御部５３が実行する。この処理とは別に、送信情報取得部５１は、ロケータ１０や車両制御部７から情報を取得して、メモリ５７に記憶する処理を実行している。
【００６４】
ステップ（以下、ステップを省略）Ｓ１では、車両データ生成部５２が、送信する情報があるか否かをメモリ５７を参照して判断する。前述したように、車両データ生成部５２は、生成周期Ｔｇで車両データを生成するので、Ｓ１はこの生成周期Ｔｇごとに実行する。メモリ５７にまだ車両データの生成に用いていない情報が保存されていれば、Ｓ１の判断がＹＥＳとなり、メモリ５７に車両データの生成に用いていない情報が保存されていなければ、Ｓ１の判断がＮＯとなる。
【００６５】
Ｓ１の判断がＮＯであれば車両データパケット送信処理を終了する。一方、Ｓ１の判断がＹＥＳであればＳ２へ進む。Ｓ２では、車両データ生成部５２が、メモリ５７に保存されている情報に基づいて車両データを生成する。
【００６６】
以下のＳ３〜Ｓ６は送信制御部５３が実行する。Ｓ３では、Ｓ２で生成された車両データに車両ＩＤと時刻情報を付与して車両データパケットを生成する。Ｓ４では、同時送信周期であるか否かを判断する。Ｓ４の判断がＹＥＳであればＳ５へ進む。Ｓ５では、車両データパケットを狭域送信部３１と広域送信部４１へ出力する。このＳ５の処理が行われると、同一の車両データパケットが狭域送信部３１と広域送信部４１へ同時に出力されることになる。一方、Ｓ４の判断がＮＯになった場合にはＳ６へ進む。Ｓ６では、車両データパケットを狭域送信部３１のみへ出力する。
【００６７】
車両データパケットが供給された狭域送信部３１、広域送信部４１は、ＣＳＭＡ／ＣＡやリソース割り当てを決定するための処理などを行って送信可能な状態となった場合に、車両データパケットを送信する。前述したように、この車両データパケットに含まれる車両データは請求項の第１移動体情報、移動体情報に相当する。
【００６８】
［車両データパケット受信処理］
次に、通信制御部５０が実施する車両データパケット受信処理について、図４に示すフローチャートを用いて述べる。ここでは、車両２ｂに搭載されている車載システム１ｂが備える通信制御部５０が図４の処理を実行しているとする。この場合、車両２ｂは請求項の第２移動体に相当し、車載システム１ｂは請求項の移動体用受信装置として機能することになる。
【００６９】
図４の処理は、通信制御部５０への通電時に一定周期で実行される。一定周期は、たとえば、前述の生成周期Ｔｇと同じである。Ｓ１１では、受信情報取得部５４が、狭域受信部３２または広域受信部４２が車両データパケットを受信したか否かを判断する。この判断は、これら狭域受信部３２または広域受信部４２から車両データパケットを取得したか否かにより行う。なお、受信する車両データパケットに含まれる車両データは、請求項の他移動体情報に相当する。
【００７０】
車両２ａの通信制御部５０が図３のＳ５またはＳ６を実行して車両２ａの狭域送信部３１が車両データパケットを送信し、かつ、車両２ｂが車両２ａと直接車車間通信が可能な位置に存在していれば、車両２ｂの狭域受信部３２が車両データパケットを受信する。この場合にＳ１１の判断がＹＥＳになる。また、車両２ａの通信制御部５０が図３のＳ５を実行して車両２ａの広域送信部４１が車両データパケットを送信し、かつ、車両２ｂが車両２ａの周辺領域に存在していれば、車両２ｂの狭域受信部３２が車両データパケットを受信する。この場合にもＳ１１の判断がＹＥＳになる。Ｓ１１の判断がＹＥＳであればＳ１２へ進み、ＮＯであれば図４の処理を終了する。
【００７１】
Ｓ１２〜Ｓ１４は同一判断部５５が実行する。Ｓ１２では、Ｓ１１で受信したと判断した車両データパケットと同一の車両データパケットを受信済みであるか否かを判断する。車両２ａの通信制御部５０が図３のＳ５を実行した場合であって、車両２ｂが車両２ａとの間で直接型車車間通信および間接型車車間通信がともに可能であれば、狭域受信部３２および広域受信部４２は同じ車両データパケットを受信する。この場合、狭域受信部３２および広域受信部４２のうち後に車両データパケットを受信した側がその車両データパケットを受信し、その車両データパケットに基づいてＳ１２の判断を行うと、Ｓ１２の判断がＹＥＳになる。Ｓ１２の判断がＹＥＳであればＳ１３に進む。Ｓ１３では、今回取得した車両データパケットを破棄する。
【００７２】
Ｓ１２の判断がＮＯであればＳ１４に進む。Ｓ１４では、今回取得した車両データパケットをメモリ５７に記憶する。続くＳ１５では、車両内送信部５６が、今回取得した車両データパケットに含まれている車両データ、または、車両データに加えて車両ＩＤおよび時刻情報の少なくとも一方を、車両制御部７へ送信する。
【００７３】
［第１実施形態のまとめ］
図３、図４の例を参照して第１実施形態のまとめを説明する。以上の構成では、車両２ａで用いられる車載システム１ａが備える送信制御部５３は、Ｓ５を実行する場合には、同一の車両データパケットを、狭域送信部３１と広域送信部４１とから送信させる。車両２ｂで用いられる車載システム１ｂは、広域受信部４２と狭域受信部３２とを備える。よって、車載システム１ａの広域送信部４１が車両データパケットを送信した場合も、車載システム１ａの狭域送信部３１が車両データパケットを送信した場合も、車両データパケットを受信できる。したがって、ロバスト性が高い車車間通信が実現できる。
【００７４】
また、図３のＳ５を実行すると、同一の車両データパケットを同時に送信させる処理が行われることになる。よって、ロバスト性が高く、かつ、リアルタイム性も高い車車間通信が実現できる。
【００７５】
また、第１実施形態では、受信した車両データパケットが、すでに受信した車両データパケットと同一であるか否かの判断を、車両データパケットに含まれる時刻情報を用いて行っている。そのため、シーケンス番号が時刻情報の代わりに付与されて、そのシーケンス番号で同一の判断を行うよりも、高い精度で同一か否かの判断ができる。また、車両ＩＤが同一かどうかも判断するので、より高い精度で、今回受信した車両データパケットが、すでに受信した車両データパケットと同一か否かを判断できる。
【００７６】
加えて、車両データに加えて時刻情報も車両制御部７へ送信する場合、車両データを受信した車両制御部７は、車両データがいつの時点のデータであるかを判断できる。よって、車両制御部７が行う車両制御が、リアルタイム性が要求される制御である場合に、通信制御部５０から送信された車両データを使ってよいかどうかの判断を行いやすい。特に、第１実施形態では、時刻情報をＵＴＣ時刻で現在時刻を表す情報としている。よって、車両制御部７は、車両間で同期された時刻に基づいて、通信制御部５０から取得した車両データの新しさを判断することが可能になる。
【００７７】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００７８】
図５に第２実施形態の車載システム２０１の構成を示す。図２に示すように、第２実施形態の車載システム２０１は、ロケータ１０と通信ユニット２０ａとを備える。通信ユニット２０ａは、通信制御部５０ａの構成が第１実施形態の通信制御部５０と異なる。
【００７９】
より詳しくは、通信制御部５０ａは、送信制御部５３ａ、同一判断部５５ａ、車両内送信部５６ａが実行する処理が、第１実施形態の送信制御部５３、同一判断部５５、車両内送信部５６が実行する処理と異なる。
【００８０】
送信制御部５３ａは、同時送信周期に送信する車両データパケットには、狭域送信部３１と広域送信部４１から同じ車両データパケットを送信したことを意味する同時送信フラグを付与する。それ以外は、第１実施形態の送信制御部５３と同じ処理を実行する。同一判断部５５ａ、車両内送信部５６ａが実行する処理は図６を用いて説明する。なお、車両内送信部５６ａは請求項の移動体送信部に相当する。
【００８１】
図６は第２実施形態において通信制御部５０ａが実行する車両データパケット受信処理を示している。この図６の処理は図４に代えて実行する処理であり、実行周期は図４と同じである。
【００８２】
Ｓ２１では、受信情報取得部５４が、狭域受信部３２または広域受信部４２が車両データパケットを受信したか否かを判断する。このＳ２１の処理は図４のＳ１１と同じである。Ｓ２１の判断がＹＥＳであればＳ２２へ進み、ＮＯであればＳ２８へ進む。以降の処理においてＳ２２〜Ｓ２６は同一判断部５５ａが行い、Ｓ２７〜Ｓ２９は車両内送信部５６ａが行う。
【００８３】
Ｓ２２では、Ｓ２１で受信したと判断した車両データパケットに、同時送信フラグが付与されているか否かを判断する。この判断がＹＥＳであればＳ２３へ進み、ＮＯであればＳ２７へ進む。Ｓ２７では車両データを送信するので、車両データパケットに同時送信フラグが付与されていない場合には、Ｓ２３、Ｓ２５の判断を行うことなく、車両データを送信することになる。
【００８４】
Ｓ２３では、Ｓ２１で受信したと判断した車両データパケットに含まれる車両ＩＤおよび時刻情報と同一の車両ＩＤおよび時刻情報を含んだ車両データパケットを受信済みであるか否かを判断する。車両ＩＤおよび時刻情報が同じである車両データパケットを受信済みであるか否かを判断する点は図４のＳ１２と同じである。よって、今回受信した車両データパケットとメモリ５７に記憶されている車両データパケットとを比較してこの判断を行う。ただし、第２実施形態では、車両ＩＤと時刻情報が同じであるだけでは、同一の車両データパケットであるとは判断せず、さらに、Ｓ２５において、車両データも同じであるか否かを判断する。
【００８５】
Ｓ２３の判断がＮＯである場合にはＳ２４に進む。Ｓ２４では、今回受信した車両データパケットをメモリ５７の受信データ格納領域に記憶する。その後、Ｓ２８へ進む。
【００８６】
第１実施形態では、今回受信した車両データパケットの車両ＩＤと時刻情報が、メモリ５７に記憶されている車両データパケットの車両ＩＤおよび時刻情報と同じでない場合、車両データパケットに含まれている車両データを車両制御部７へ送信していた。しかし、第２実施形態では、Ｓ２３の判断がＹＥＳであればＳ２５へ進む。
【００８７】
Ｓ２５では、今回受信した車両データパケットに含まれている車両データと、メモリ５７の受信データ格納領域に記憶されている車両データパケットに含まれている車両データが同じであるか否かを判断する。Ｓ２５の判断がＮＯであればＳ２６へ進む。
【００８８】
Ｓ２５の判断がＮＯである場合、車両ＩＤと時刻情報が同じであるにも関わらず、車両データが異なる車両データパケットを受信したことになる。この場合、今回受信した車両データパケットおよびメモリ５７に記憶されている車両データパケットの少なくとも一方の車両データが改ざんされた恐れが高い。そこで、Ｓ２６では、車両ＩＤと時刻情報が同じであるにも関わらず、車両データが異なる２つの車両データパケットをともに破棄する。よって、これら２つの車両データパケットは、いずれも、車両制御部７へ送信しないことになる。これにより、改ざんされた車両データに基づいた車両制御が行われてしまうことを抑制できる。
【００８９】
なお、このＳ２６でのデータの破棄を、一定時間後に実行してもよい。一定時間は、車両データを車両制御部７が利用する可能性がある時間を意味する。このようにすることで、改ざんされた可能性がある車両データパケットをさらに受信した場合にも、車両データを車両制御部７が利用する可能性がある時間内に、その車両データパケットに含まれる車両データを車両制御部７へ送信しないようにできる。
【００９０】
また、Ｓ２６において破棄する車両データパケットを、今回受信した車両データパケットのみとしてもよいし、今回受信した車両データパケットをメモリ５７に記憶されている車両データパケットに上書きしてもよい。このようにしても、改ざんされた可能性がある車両データパケットをさらに受信した場合に、その車両データパケットに含まれる車両データを車両制御部７へ送信しないようにできる。
【００９１】
Ｓ２５の判断もＹＥＳになった場合に、第２実施形態では、同一の車両データパケットであると判断する。Ｓ２５の判断がＹＥＳであればＳ２７へ進む。Ｓ２７では、今回受信した車両データパケットに含まれる車両データを車両制御部７へ送信する。もちろん、同じ車両データパケットであると判断しているので、メモリ５７に記憶されている車両データパケットに含まれる車両データを車両制御部７へ送信してもよい。また、第１実施形態と同様、車両データに加えて車両ＩＤおよび時刻情報の少なくとも一方を、車両制御部７へ送信してもよい。
【００９２】
Ｓ２１の判断がＮＯである場合、または、Ｓ２４、Ｓ２６、Ｓ２７のいずれかを実行した場合にはＳ２８へ進む。Ｓ２８では、メモリ５７に、記憶時刻から待機時間が経過した車両データパケットがあるか否かを判断する。待機時間は、直接型車車間通信および間接型車車間通信の最大遅れ時間を考慮し、その最大遅れ時間に相当する時間に予め設定される。なお、この判断は、すでにＳ２７あるいは次のＳ２９の処理を実行して車両制御部７へ送信した車両データパケットは除外して行う。
【００９３】
Ｓ２８の判断がＮＯであればＳ２９を実行することなく図６の処理を終了する。一方、Ｓ２８の判断がＹＥＳになった場合にはＳ２９へ進む。Ｓ２９では、Ｓ２８の判断がＹＥＳとなった車両データパケットに含まれている車両データを、低信頼度フラグを付与して車両制御部７へ送信する。車両データに加えて、車両ＩＤおよび時刻情報の少なくとも一方を送信してもよい点はＳ２７と同じである。
【００９４】
低信頼度フラグを付与する理由は、同じ車両データパケットが、狭域送信部３１および広域送信部４１から送信されているにも関わらず、同一判断部５５ａが実行するＳ２３、Ｓ２５の判断結果が得られていないからである。よって、低信頼度フラグは、同一判断部５５ａが判断を行っていないことを意味するフラグである。同一判断部５５ａが判断を行っていないので、低信頼度フラグは、改ざんされていないことの確認が得られていないことを意味するフラグでもある。
【００９５】
［第２実施形態のまとめ］
第２実施形態の車載システム２０１によれば、同一判断部５５ａは、狭域受信部３２および広域受信部４２のいずれか一方が車両データパケットを受信した場合に、すでに受信した車両データパケットと同一であるか否かを判断する。今回受信した車両データパケットがすでに受信した車両データパケットと同一となるのは、狭域受信部３２および広域受信部４２のうち車両データパケットを今回受信した側とは反対側の受信部が、すでに同一の車両データパケットを受信している場合である。したがって、同一判断部５５ａは、受信情報取得部５４が、広域受信部４２から取得した車両データパケットと、狭域受信部３２から取得した車両データパケットとが同一であるか否かを判断している。
【００９６】
同一判断部５５ａは、今回受信した車両データパケットとすでに受信した車両データパケットが同一であるか否かの判断において、車両ＩＤと時刻情報が互いに同一であるか否かを判断するとともに、車両データも同じであるか否かを判断する。これにより、車両データが改ざんされた恐れがあるか否かを判断することができる。
【００９７】
加えて、狭域受信部３２、広域受信部４２のいずれか一方しか車両データパケットを受信できない場合にも、Ｓ２８、Ｓ２９を実行して、車両データを車両制御部７へ送信する。よって、ロバスト性が高い車車間通信も実現できる。
【００９８】
さらに、狭域受信部３２、広域受信部４２のいずれか一方しか車両データパケットを受信できない場合には、低信頼度フラグを付与して車両データを車両制御部７へ送信する。これにより、車両制御部７は、通信制御部５０ａから送信された車両データの信頼度を考慮した制御を行うことができる。
【００９９】
たとえば、車両制御部７は、低信頼度フラグが付与された車両データが通信制御部５０ａから送信されてきた場合には、その車両データの直前に通信制御部５０ａから送信されてきた１つまた複数の車両データとの連続性を確認する。そして、データの連続性が確認できる場合に限り、低信頼度フラグが付与された車両データを用いた車両制御を行う等の処理が可能になる。
【０１００】
以上、本発明の実施形態を説明したが、本発明は上述の実施形態に限定されるものではなく、以降で述べる種々の変形例も本発明の技術的範囲に含まれ、さらに、下記以外にも要旨を逸脱しない範囲内で種々変更して実施することができる。
【０１０１】
［変形例１］
第１第２実施形態では、通信ユニット２０、２０ａは、狭域通信部３０および広域通信部４０を備えていた。しかし、狭域通信部３０および広域通信部４０のいずれか一方または両方が、通信ユニット２０、２０ａの外部に設けられ、ＬＡＮ６により、狭域通信部３０および広域通信部４０と通信ユニット２０、２０ａとが接続されてもよい。
【０１０２】
［変形例２］
第１、第２実施形態では、同一の車両データパケットを狭域送信部３１と広域送信部４１とから送信する場合、同時送信するようにしていたが、送信時点を異ならせて、狭域送信部３１および広域送信部４１から同一の車両データパケットを送信してもよい。
【０１０３】
［変形例３］
前述の実施形態では、識別符号として車両ＩＤおよび時刻情報を用いた。しかし、識別符号としてシーケンス番号を用いてもよい。
【０１０４】
［変形例４］
前述の実施形態では、移動体の例として車両を示したが、移動体は車両に限られない。たとえば、移動体が歩行者であってもよい。
【符号の説明】
【０１０５】
１、１ａ、１ｂ：車載システム    ２、２ａ、２ｂ：車両    ３：広域通信網    ４：基地局    ５：センタ    ６：通信ネットワーク    ７：車両制御部    １０：ロケータ    ２０、２０ａ：通信ユニット    ３０：狭域通信部    ３１：狭域送信部    ３２：狭域受信部    ３３：アンテナ    ４０：広域通信部    ４１：広域送信部    ４２：広域受信部    ４３：アンテナ    ５０、５０ａ：通信制御部    ５１：送信情報取得部    ５２：車両データ生成部    ５３、５３ａ：送信制御部    ５４：受信情報取得部    ５５、５５ａ：同一判断部    ５６、５６ａ：車両内送信部    ５７：メモリ    １００：車車間通信システム    ２０１：車載システム
【図１】
0006447554.tif 000002
【図２】
0006447554.tif 000003
【図３】
0006447554.tif 000004
【図４】
0006447554.tif 000005
【図５】
0006447554.tif 000006
【図６】
0006447554.tif 000007